(57)【特許請求の範囲】
【請求項１】
床面上に設けられる脚体と、
前記脚体に支持された座部と、
前記脚体に設けられ、外部に電力を供給する電力供給部と、
前記脚体に設けられ、前記電力供給部が供給する前記電力を制御する電力制御部と、を備え、
前記電力制御部は、過電流を検出して前記電力供給部の前記電力の供給を停止する回路遮断器であり、
前記脚体は、
前記回路遮断器及び前記回路遮断器の操作片が内部に収容されたハウジングを有することを特徴とする椅子。
【請求項２】
前記脚体は、
前記床面上に設けられる複数の支持脚部と、
前記複数の支持脚部を連結する連結部と、を有し、
前記電力制御部は、前記連結部の下方に配置されていることを特徴とする請求項１に記載の椅子。
【請求項３】
前記脚体は、
前記電力供給部が設けられた第一ハウジングを有し、
前記ハウジングは、前記第一ハウジングの下側に設けられていることを特徴とする請求項１または２に記載の椅子。
【請求項４】
前記電力供給部は、前記第一ハウジングの前部に設けられ、
前記電力制御部は、前記ハウジングの後部に収容されていることを特徴とする請求項３に記載の椅子。
【請求項５】
前記電力供給部は、複数設けられ、
一の前記電力供給部が設けられ、前記連結部の一方側に配置された収容体を備え、
前記脚体は、
前記連結部の他方側に配置され、他の前記電力供給部が設けられた第一ハウジングを有し、
前記ハウジングは、前記第一ハウジングの下側に設けられ、
前記電力制御部は、前記一の前記電力供給部及び前記他の前記電力供給部が供給する前記電力を制御し、
前記連結部には、前記収容体に設けられた前記一の前記電力供給部と、前記ハウジングに収容された前記電力制御部とを接続する配線を収容する配線収容部が設けられていることを特徴とする請求項２に記載の椅子。
【請求項６】
前記電力供給部は、前記座部の下方に配置されていることを特徴とする請求項１から５のいずれか一項に記載の椅子。
【請求項７】
前記電力制御部により制御された前記電力の通電状態を示す通電表示部を、さらに備えることを特徴とする請求項１から６のいずれか一項に記載の椅子。
【発明の詳細な説明】
【技術分野】
【０００１】
本発明は、椅子に関するものである。
【背景技術】
【０００２】
一般に、空港などの公共施設には、多数の利用者を着座可能と椅子が設置されている。例えば、床面上に設けられる複数の脚部と、これら脚部を連結する長尺な連結杆と、連結杆に支持された複数の座部と、を備えた椅子が知られている。公共施設では、このような椅子が前後方向及び左右方向に複数配置されている。
【０００３】
近年、公共施設において、ノートパソコンやタブレット等の電子機器の利用及び携帯電話やスマートフォンへの充電等の需要が高まりつつある。
【０００４】
そこで、椅子に着座したまま電子機器の利用を可能とする椅子として、床面上に設けられる複数のvertical uprightsと、これらvertical uprightsを連結するsupport beamと、support beamに支持される複数のseat assemblyと、support beamの下側にsupport beamと平行に配置されたwireway sectionと、これらsupport beam及びwireway sectionに支持されたaccess housingとを備えたものが提案されている。この椅子のaccess housingには、電気用コンセント（electrical outlet）及びデータ用コンセントが設けられている。この椅子では、利用者は、seat assemblyに着座して、電子機器のコネクタを電気用コンセントに差し込むことにより、電子機器を使用できる。
【先行技術文献】
【特許文献】
【０００５】
【特許文献１】米国特許第６６８３３９４号明細書
【発明の概要】
【発明が解決しようとする課題】
【０００６】
しかしながら、上記の特許文献１に記載の椅子では、多数の利用者が同時に電気用コンセントにコネクタを差し込み電子機器を使用したり、ドライヤーのような電力使用量の大きな電気機器が誤って使用されることによって、許容値以上の電力量を使用する場合がある。この場合には、施設に設置されているブレーカーが作動し、施設全体において一時的に電力の供給が停止する可能性がある。よって、施設の広範囲において、電力の供給が停止するため、多くの利用者が不自由になるという問題点がある。
【０００７】
本発明は、上記事情に鑑みてなされたものであり、椅子毎に供給する電力を制御可能な椅子を提供するものである。
【課題を解決するための手段】
【０００８】
上記目的を達成するために、本発明は以下の手段を採用している。
すなわち、本発明に係る椅子は、床面上に設けられる脚体と、前記脚体に支持された座部と、前記脚体に設けられ、外部に電力を供給する電力供給部と、前記脚体に設けられ、前記電力供給部が供給する前記電力を制御する電力制御部と、を備え、前記電力制御部は、過電流を検出して前記電力供給部の前記電力の供給を停止する回路遮断器であり、前記脚体は、前記回路遮断器及び前記回路遮断器の操作片が内部に収容されたハウジングを有することを特徴とする。
【０００９】
このように構成された椅子では、脚体に支持された座部に着座する利用者は、脚体に設けられた電力供給部からの電力の供給により、電子機器を使用することができる。この電力供給部の供給する電力を制御する電力制御部は脚体に設けられているため、椅子毎に供給する電力を制御することができる。
また、過電流になってしまった場合には、脚体に設けられた回路遮断器により、脚体に設けられた電力供給部は外部への電力の供給を停止する。よって、一の椅子において過電流が生じた場合には、当該椅子においてのみ電力の供給が停止されるため、電力を使用する他の機器、設備に不都合を与えることはない。
【００１２】
また、本発明に係る椅子は、前記脚体は、前記床面上に設けられる複数の支持脚部と、前記複数の支持脚部を連結する連結部と、を有し、前記電力制御部は、前記連結部の下方に配置されていてもよい。
【００１３】
このように構成された椅子では、電力制御部は、床面上に設けられている複数の支持脚部を連結する連結部の下方に配置されている。つまり、座部に着座する着座者から、連結部の下方という視認しづらい位置に電力制御部が配置されるため、いたずら等による電力制御部の誤操作を抑制することができるとともに、外観を良好とすることができる。
【００１４】
また、本発明に係る椅子は、前記脚体は、前記電力供給部が設けられた第一ハウジングを有し、前記ハウジングは、前記第一ハウジングの下側に設けられていてもよい。
【００１５】
このように構成された椅子では、電力制御部が収容されたハウジングは、電力供給部が設けられた第一ハウジングの下側に設けられている。よって、第一ハウジングとハウジングとが離間している場合よりも、電力供給部と電力制御部とを接続する配線は効率的に配置される。また、電力供給部及び電力制御部が同一のハウジングに配置されている場合よりも、電力供給部と電力制御部とを接続する配線は、無理に折り曲げられたりすることなく適切に配置される。
また、電力供給部は、ハウジングよりも上側の第一ハウジングに設けられている。
よって、電力供給部は、座部に着座する利用者から手が届きやすいため、使い勝手を良好とすることができる。
また、電力制御部は、第一ハウジングよりも下側のハウジングに収容されている。
よって、座部に着座する着座者から、連結部の下方という視認しづらいため、いたずら等による電力制御部の誤操作を抑制することができるとともに、外観を良好とすることができる。
【００１６】
また、本発明に係る椅子は、前記電力供給部は、前記第一ハウジングの前部に設けられ、前記電力制御部は、前記ハウジングの後部に収容されていてもよい。
【００１７】
このように構成された椅子では、電力供給部は第一ハウジングの前部に設けられ、電力制御部は第一ハウジングの下側に設けられたハウジングの後部に収容されている。よって、電力供給部と電力制御部とを接続する配線は、後方から前方に向かうにしたがって上方に向かうように配置されるため、空間的に余裕をもって適切に配置される。
【００１８】
また、本発明に係る椅子は、前記電力供給部は、複数設けられ、一の前記電力供給部が設けられ、前記連結部の一方側に配置された収容体を備え、前記脚体は、前記連結部の他方側に配置され、他の前記電力供給部が設けられた第一ハウジングを有し、前記ハウジングは、前記第一ハウジングの下側に設けられ、前記電力制御部は、前記一の前記電力供給部及び前記他の前記電力供給部が供給する前記電力を制御し、前記連結部には、前記収容体に設けられた前記一の前記電力供給部と、前記ハウジングに収容された前記電力制御部とを接続する配線を収容する配線収容部が設けられていてもよい。
【００１９】
このように構成された椅子では、収容体に設けられた一の電力供給部の配線は、収容体と第一ハウジング及びハウジングとを連結する連結部の配線収容部を通過して、ハウジングに収容された電力制御部に接続されている。つまり、ハウジングに収容された電力制御部は、第一ハウジングに設けられた電力供給部及び収容体に設けられた電力供給部が供給する電力を制御することができる。よって、設置する電力制御部の数を抑えつつ、一の椅子において過電流が生じた場合には、当該椅子においてのみ電力の供給が停止されることができる。
【００２０】
また、本発明に係る椅子は、前記電力供給部は、前記座部の下方に配置されていてもよい。
【００２１】
このように構成された椅子では、電力供給部は、座部の下方に配置されている。つまり、電力供給部は、座部に着座する着座者にとって、電力供給部を利用しようと姿勢を下方に向けた際に視認できる位置に配置されている。よって、電力供給部を使用しない通常の姿勢では電力供給部を容易に視認できないため、電力供給部へのいたずらを抑制することができる。
【００２２】
また、本発明に係る椅子は、前記電力制御部により制御された前記電力の通電状態を示す通電表示部を、さらに備えてもよい。
【００２３】
このように構成された椅子では、利用者は通電表示部を見れば、電力の通電状態を知ることができるため、利便性が高い。
【発明の効果】
【００２４】
本発明に係る椅子によれば、椅子毎に供給する電力を制御することができる。
【図面の簡単な説明】
【００２５】
【図１】本発明の一実施形態における椅子の正面図である。
【図２】本発明の一実施形態における椅子の側面図である。
【図３】本発明の一実施形態における椅子を構成する第一ハウジング及び第二ハウジングの斜視図である。
【図４】本発明の一実施形態における椅子を構成する第一ハウジング及び第二ハウジングの分解斜視図である。
【図５】本発明の一実施形態における椅子を構成する第一ハウジング及び第二ハウジングの一部を分解した状態を後方から見た斜視図である。
【図６】本発明の一実施形態における椅子を構成する第一ハウジング及び第二ハウジングの縦断面図である。
【図７】本発明の変形例における椅子の正面図である。
【図８】本発明の変形例における椅子を構成する第一ハウジング及び第二ハウジングの分解斜視図である。
【発明を実施するための形態】
【００２６】
以下、本発明の実施形態に係る椅子について説明する。
図１は、本発明の一実施形態における椅子の正面図である。図２は、本発明の一実施形態における椅子の側面図である。
図１，２に示すように、椅子１００は、床面上に設けられる脚体１と、脚体１に設けられ外部に電力を供給するコンセント５（電力供給部）及びコンセント５が供給する電力を制御するブレーカー６（電力制御部、回路遮断器）と、脚体１に支持された複数の座部７，７…と、各座部７の後方にそれぞれ設けられた背凭れ部８と、を備えている。
以下の説明において、便宜上、椅子１００の座部７上に着座した利用者が前を向く方向を「前方」、その反対方向を「後方」、つまり図１の紙面の表側を「前方」、紙面の裏側を「後方」と称する。また、椅子１００を設置する床面側とその反対側を結ぶ方向、つまり図１の紙面の上下方向を「上下方向」と称する。また、椅子１００の幅方向、つまり図１の紙面の左右方向を「左右方向」と称する。
【００２７】
（脚体）
脚体１は、床面上に設けられ左右方向に離間して配置された一対の主脚部１０，１０（支持脚部）と、これら一対の主脚部１０，１０を連結するビーム１６（連結部）と、床面上に設けられ左右方向に離間して配置された一対の第二脚部２０Ａ，２０Ａと、を有している。
【００２８】
主脚部１０は、中実のアルミダイキャスト製であり、脚体１に複数支持されている座部７及び背凭れ部８の荷重を支持する強度部材である。主脚部１０は、ビーム１６が取り付けられた基部１１と、基部１１から下方に向かうにしたがって次第に前方に向かうように形成された前支持脚１２と、基部１１から下方に向かうにしたがって次第に後方に向かうように形成された後支持脚１３と、を有している。
【００２９】
主脚部１０，１０間には、左右方向に延びるビーム１６が架け渡されている。ビーム１６は、角管状に形成されている。
【００３０】
ビーム１６は、左側に配置された第一ビーム部１６Ａと、第一ビーム部１６Ａの右側に隣接配置された第二ビーム部１６Ｂと、第二ビーム部１６Ｂの右側に隣接配置された第三ビーム部１６Ｃとで構成されている。換言すると、第一ビーム部１６Ａは、左側に配置された主脚部１０と左側に配置された第二脚部２０Ａとの間に架け渡されている。また、第二ビーム部１６Ｂは、左側に配置された第二脚部２０Ａと右側に配置された第二脚部２０Ａとの間に架け渡されている。また、第三ビーム部１６Ｃは、右側に配置された第二脚部２０Ａと右側に配置された主脚部１０との間に架け渡されている。
なお、ビーム１６は、椅子１００の左端から右端まで延びる長尺な部材により構成されていてもよい。
【００３１】
第一ビーム部１６Ａの左端及び第三ビーム部１６Ｃの右端は、それぞれ主脚部１０よりも幅方向外側に配置されている。この第一ビーム部１６Ａの左端及び第三ビーム部１６Ｃの右端には、それぞれキャップ１６Ｐが設けられている。
【００３２】
図３は、本発明の一実施形態における椅子１００を構成する第二脚部２０Ａの斜視図である。図４は、本発明の一実施形態における椅子１００を構成する第二脚部２０Ａの分解斜視図である。図５は、本発明の一実施形態における椅子１００を構成する第二脚部２０Ａの一部を分解した状態を後方から見た斜視図である。図６は、本発明の一実施形態における椅子１００を構成する第二脚部２０Ａの縦断面図である。
図３〜６に示すように、第二脚部２０Ａは、板金を折曲加工することにより箱状に形成されている。第二脚部２０Ａは、床面上に設けられたダクトボックス２０（第二ハウジング）と、ダクトボックス２０の上側に設けられたコンセントボックス３０（第一ハウジング）と、コンセントボックス３０の上側に設けられた天板９と、を有している。
【００３３】
ダクトボックス２０は、平面視矩形状に形成された底部２１と、底部２１の左右方向両端から上方に延びる一対の側壁部２２，２２と、を有している。さらに、ダクトボックス２０は、底部２１の前端から上方に延び、一対の側壁部２２，２２の前端同士を連結する前壁部２３と、底部２１の後端の左右両側からそれぞれ上方に延びる一対の後壁部２４，２４と、を有している。各後壁部２４の端部には、前方に向かって折曲された折曲壁部２５が設けられている。底部２１の四隅には、高さ調整可能なアジャスタ２１Ｂが設けられている。
このように、ダクトボックス２０には床面に接地するアジャスタ２１Ｂが設けられていることにより、第二脚部２０Ａは脚体１に複数支持されている座部７及び背凭れ部８の荷重を支持する強度部材として機能する。
【００３４】
底部２１の前側には、上下方向に貫通し平面視矩形状に形成された前側開口部２１Ｋが形成されている。また、底部２１の後端には、上方に向かって立ち上がる立設壁部２１Ａが設けられている。また、底部２１の後端には、上下方向に貫通し平面視矩形状に形成された後側開口部２１Ｌが形成されている。この後側開口部２１Ｌは、立設壁部２１Ａにも連続している。後側開口部２１Ｌは、立設壁部２１Ａにおいて正面視矩形状に形成されている。つまり、後側開口部２１Ｌは、底部２１の後端から立設壁部２１Ａにまたがって形成されている。
【００３５】
一対の側壁部２２，２２の上端同士は、前方から後方に向かって順に、前プレート２６、中プレート２７及び後プレート２８により左右方向に連結されている。
【００３６】
前プレート２６は、側壁部２２，２２、前壁部２３からそれぞれ上方に延びる立設壁部２６Ａと、これら３枚の立設壁部２２Ａ，２２Ａ，２２Ａの上端を連結する連結壁部２６Ｂと、を有している。
【００３７】
中プレート２７は、後述するビーム１６を支持する支持プレート部２７Ａと、支持プレート部２７Ａの前後両端からそれぞれ上方に延びる前立設壁部２７Ｂ及び後立設壁部２７Ｃと、を有している。さらに、中プレート２７は、前立設壁部２７Ｂの上端から前方に折曲された前取付プレート部２７Ｄと、後立設壁部２７Ｃの上端から後方に折曲された後取付プレート部２７Ｅと、を有している。
【００３８】
これら支持プレート部２７Ａ、前立設壁部２７Ｂ及び後立設壁部２７Ｃにより、前取付プレート部２７Ｄ及び後取付プレート部２７Ｅよりも下方に凹み、側面視矩形状の下側凹部２７Ｕが形成されている。この下側凹部２７Ｕは、ビーム１６の下部の形状に対応している。この下側凹部２７Ｕは、ダクトボックス２０の前後方向（奥行方向）の中央部よりも後方に配置されている。
【００３９】
底部２１と中プレート２７の支持プレート部２７Ａとは、連結プレート２９により上下方向に連結されている。連結プレート２９は、板状に形成され、ダクトボックス２０の後部に配置されている。本実施形態では、連結プレート２９は、ダクトボックス２０の前後方向（奥行方向）の中央部よりも後方に配置されている。
【００４０】
この連結プレート２９は、後述するブレーカー６が設けられるブレーカー取付部２９Ａと、ブレーカー取付部２９Ａの上下両端からそれぞれ後方に向かって折曲された取付片２９Ｂ，２９Ｂと、を有している。取付片２９Ｂ，２９Ｂは、それぞれ底部２１、中プレート２７の支持プレート部２７Ａに、螺子（不図示）の螺合等により、取り付けられている。
【００４１】
前壁部２３の上部には、前後方向に貫通する取付孔２３Ｘが形成されている。この取付孔２３Ｘは、前壁部２３に設けられた立設壁部２６Ａの下端よりも下方に配置されている。
【００４２】
取付孔２３Ｘに表示灯Ｌ（通電表示部）が取り付けられている。表示灯Ｌは、ＬＥＤランプＬ１と、ＬＥＤランプＬ１の後部を支持する支持部Ｌ２と、を有している。支持部Ｌ２の外周には、雄螺子Ｌ３が形成されている。この支持部Ｌ２の雄螺子Ｌ３が、ダクトボックス２０の前壁部２３の取付孔２３Ｘに螺合されることにより、表示灯Ｌは、ＬＥＤランプＬ１を前方に向けて、ダクトボックス２０の前部且つ上部に取付けられている。
【００４３】
なお、ダクトボックス２０を構成する板金の厚みや、側壁部２２，２２を連結する前プレート２６、中プレート２７及び後プレート２８等の部材の数は、座部７及び背凭れ部８の数や荷重の大きさに応じて適宜設定することができる。
【００４４】
コンセントボックス３０は、左右方向に離間して配置された一対の側壁部３１，３１と、一対の側壁部３１，３１の前端同士を連結する前壁部３２と、を有している。さらに、コンセントボックス３０は、各側壁部３１の後端から対向する側壁部３１に向かって延びる後壁部３３と、一対の後壁部３３，３３の上部同士を連結する後連結壁部３４と、を有している。前壁部３２には、前後方向に貫通し正面視矩形状に形成されたコンセント用開口部３２Ｋが形成されている。
【００４５】
各側壁部３１の後側には、下端から上方に向かって凹んだ側面視矩形状の側壁凹部３１Ｕが形成されている。一対の側壁部３１，３１の下端同士は、前方から後方に向かって順に、前プレート３６、中プレート３７及び後プレート３８により左右方向に連結されている。前プレート３６は、側壁部３１の下端よりも上方で、側壁部３１，３１同士を連結している。
【００４６】
中プレート３７は、対向する側壁凹部３１Ｕの上端同士を連結する上プレート部３７Ａと、上プレート部３７Ａの前端から下方に折曲された前プレート部３７Ｂと、上プレート部３７Ａの後端から下方に折曲された後プレート部３７Ｃと、を有している。さらに、中プレート３７は、前プレート部３７Ｂの下端から前方に折曲された前取付プレート部３７Ｄと、後プレート部３７Ｃの下端から後方に折曲された後取付プレート部３７Ｅと、を有している。
【００４７】
これら上プレート部３７Ａ、前プレート部３７Ｂ及び後プレート部３７Ｃにより、前取付プレート部３７Ｄ及び後取付プレート部３７Ｅよりも上方に凹み、側面視矩形状の上側凹部３７Ｕが形成されている。この上側凹部３７Ｕは、ビーム１６の上部の形状に対応している。この上側凹部３７Ｕは、コンセントボックス３０の前後方向（奥行方向）の中央部よりも後方、且つ下側凹部２７Ｕの上方に配置されている。
【００４８】
第一ビーム部１６Ａと第二ビーム部１６Ｂとの間に配置された第二脚部２０Ａにおいて、第一ビーム部１６Ａの右端と第二ビーム部１６Ｂの左端が突き付けられた状態で、ダクトボックス２０の中プレート２７の支持プレート部２７Ａの上側に、第一ビーム部１６Ａの右側及び第二ビーム部１６Ｂの左側が載置されている。ここで、ダクトボックス２０の下側凹部２７Ｕの形状は第一ビーム部１６Ａの下部の形状及び第二ビーム部１６Ｂの下部の形状に対応しているため、第一ビーム部１６Ａの下部及び第二ビーム部１６Ｂの下部は下側凹部２７Ｕに嵌合されている。また、第一ビーム部１６Ａ及び第二ビーム部１６Ｂは、それぞれ支持プレート部２７Ａに、螺子等の螺合により取り付けられている。
【００４９】
そして、第一ビーム部１６Ａの上部の形状及び第二ビーム部１６Ｂの上部の形状に対応したコンセントボックス３０の上側凹部３７Ｕが、第一ビーム部１６Ａの上部及び第二ビーム部１６Ｂの上部に嵌合されるように、コンセントボックス３０が第一ビーム部１６Ａ及び第二ビーム部１６Ｂの上側に配置されている。
【００５０】
コンセントボックス３０の前プレート３６に形成された取付孔３６Ｘ及びダクトボックス２０の前プレート２６の連結壁部２６Ｂに形成された取付孔２６Ｘにコンセントボックス３０側から挿通されたボルト３６Ｙは、ダクトボックス２０の前プレート２６の下面に配置されナット２６Ｚに螺合されている。また、コンセントボックス３０の中プレート３７の前取付プレート部３７Ｄに形成された取付孔３７Ｘ及びダクトボックス２０の中プレート２７の前取付プレート部２７Ｄに形成された取付孔２７Ｘにコンセントボックス３０側から挿通されたボルト３７Ｙは、ダクトボックス２０の前取付プレート部２７Ｄの下面に配置されたナット２７Ｚに螺合されている。また、コンセントボックス３０の中プレート３７の後取付プレート部３７Ｅに形成された取付孔３７Ｘ及びダクトボックス２０の中プレート２７の後取付プレート部２７Ｅに形成された取付孔２７Ｘにコンセントボックス３０側から挿通されたボルト３７Ｙは、ダクトボックス２０の後取付プレート部２７Ｅの下面に配置されたナット２７Ｚに螺合されている。また、コンセントボックス３０の後プレート３８に形成された取付孔３８Ｘ及びダクトボックス２０の後プレート２８に形成された取付孔２８Ｘにコンセントボックス３０側から挿通されたボルト３８Ｙは、ダクトボックス２０の後プレート２８の下面に配置されたナット２８Ｚに螺合されている。このようにして、コンセントボックス３０は、ダクトボックス２０との間で第一ビーム部１６Ａ及び第二ビーム部１６Ｂを嵌合した状態で、ダクトボックス２０の上側に取り付けられている。
なお、第二ビーム部１６Ｂ及び第三ビーム部１６Ｃとの間に配置された第二脚部２０Ａにおいても、同様に、コンセントボックス３０は、ダクトボックス２０との間で第二ビーム部１６Ｂ及び第三ビーム部１６Ｃを嵌合した状態で、ダクトボックス２０の上側に取り付けられている。
【００５１】
また、ダクトボックス２０の前プレート２６の立設壁部２６Ａが前壁部２３から上方に延びるように形成されている。これにより、立設壁部２６Ａの下方に、立設壁部２６Ａと干渉することなく取り付けられた表示灯Ｌを、前壁部２３の上端よりに取り付けることができる。よって、表示灯Ｌを、コンセント５の下方において、コンセント５に近づけて取り付けることができる。
【００５２】
（コンセント）
コンセント５は、コンセントボックス３０の前部に設けられている。本実施形態では、コンセント５は、ダクトボックス２０のコンセント用開口部３２Ｋに設けられるコンセント取付枠５１と、コンセント取付枠５１の縁部を覆うコンセントプレート５６と、を有している。
【００５３】
コンセント取付枠５１は、コンセントボックス３０の前壁部３２に取り付けられる枠本体５２と、枠本体５２に設けられ差込口５３の設けられた２個の電源ユニット５４と、を有している。
【００５４】
枠本体５２には、上下に離間して一対の取付孔５２Ｘ，５２Ｘが形成されている。この取付孔５２Ｘ及びコンセントボックス３０の前壁部３２に形成された取付孔３２Ｘに挿通されたボルト５２Ｙが、前壁部３２の後面に配置されたナット３２Ｚに螺合されることで、枠本体５２はコンセントボックス３０に取り付けられている。
【００５５】
また、各電源ユニット５４の差込口５３は、電源コンセント５３Ａと、電源コンセント５３Ａの右側に配置された充電用ＵＳＢポート５３Ｂと、で構成されている。
【００５６】
コンセントプレート５６は、正面視矩形状に形成されている。このコンセントプレート５６には、上下方向に離間して一対のコンセント開口部５６Ｋ，５６Ｋが形成されている。各コンセント開口部５６Ｋ内には、それぞれ電源ユニット５４が配置されている。
【００５７】
（ブレーカー）
ブレーカー６は、ダクトボックス２０のブレーカー取付部２９Ａに取り付けられている。本実施形態では、ブレーカー６の上下に設けられた取付孔６Ｘ，６Ｘに挿通された螺子６Ｙが、ブレーカー取付部２９Ａに形成された取付孔２９Ｘに螺合されている。
【００５８】
ブレーカー６は、過電流を検出してコンセントの電力の供給を停止する。ブレーカー６には、電力の供給を復帰させる操作片６Ａが後方を向くように設けられている。
【００５９】
コンセントボックス３０の上部には、平面視矩形状に形成された天板９が取り付けられている。本実施形態では、コンセントボックス３０の一対の側壁部３１，３１、前壁部３２及び後連結壁部３４の上端には、外方に向かって折曲された取付片３９がそれぞれ形成されている。この取付片３９に形成された取付孔３９Ｘに下方から挿通された螺子３９Ｙが、天板９に形成された取付孔（不図示）に螺合されている。
【００６０】
ダクトボックス２０及びコンセントボックス３０の後部には、正面視矩形状に形成されたメンテナンスカバー４０が取り付けられている。メンテナンスカバー４０の前面の下部には、係合部４１が形成されている。係合部４１は、メンテナンスカバー４０の前面から前方に突出する突出片４１Ａと、突出片４１Ａの前端から垂下する垂下片４１Ｂと、を有している。また、メンテナンスカバー４０の上部には、取付孔４０Ｘが形成されている。
【００６１】
このメンテナンスカバー４０において、係合部４１が、ダクトボックス２０の底部２１に設けられた立設壁部２１Ａに上方から係合している。また、取付孔４０Ｘから挿通された螺子４０Ｙが、コンセントボックス３０後連結壁部３４に形成された取付孔３４Ｘに螺合している。このようにして、メンテナンスカバー４０は、ダクトボックス２０及びコンセントボックス３０の後部に取り付けられている。
このような構成により、電力の供給が停止した後に復帰させる場合には、螺子４０Ｙを取り外して、係合部４１と立設壁部２１Ａとの係合を解除することにより、メンテナンスカバー４０はダクトボックス２０及びコンセントボックス３０から取り外される。そして、コンセントボックス３０の後連結壁部３４と、一対の後壁部３３，３３と、ダクトボックス２０の一対の後壁部２４，２４と、立設壁部２１Ａとによって形成されたメンテナンス用側開口部４０Ｋから手を入れて、ブレーカー６の操作片６Ａを操作して、電力の供給を復帰させることができる。
【００６２】
（座部、背凭れ部）
図１，２に示すように、脚体１の上部には、側部フレーム６０が設けられている。側部フレーム６０は、座部７を支持する座フレーム６１と、座フレーム６１の後部から上方に向かうにしたがって次第に後方に向かうように延びる背フレーム６２とを有している。
【００６３】
ビーム１６には、取付金具１６Ｔが設けられている。この取付金具１６Ｔ及び主脚部１０の上部には、上方に向かって凹む上向き嵌合溝（不図示）が形成されている。また、座フレーム６１の下部には、取付部６１Ｔが設けられている。この取付部６１Ｔには、下方に向かって凹む下向き嵌合溝（不図示）が形成されている。
【００６４】
この上向き嵌合溝と下向き嵌合溝との間にビーム１６が嵌合されるとともに、これら取付金具１６Ｔ及び主脚部１０と座フレーム６１の取付部６１Ｔとが、図示しない螺子で螺合されている。これにより、側部フレーム６０は、脚体１の上部に取り付けられている。
【００６５】
この側部フレーム６０，６０の座フレーム６１，６１間に、座部７が設けられている。また、側部フレーム６０，６０の背フレーム６２，６２間に、背凭れ部８が設けられている。
【００６６】
図６に示すように、上記の椅子１００において、フリーアクセスフロア、二重床等により床下に配置された配線Ｈ１は、床面の所望の場所から引き出されて、ダクトボックス２０の底部２１に形成された後側開口部２１Ｌから、ダクトボックス２０の内部に配置される。この配線Ｈ１は、ダクトボックス２０に設けられたブレーカー６の一端に接続される。
【００６７】
また、ブレーカー６の他端に接続された配線Ｈ２は、ダクトボックス２０の連結プレート２９と側壁部２２との間を通過し、前方に向かうにしたがって上方に向かうように配置され、配線コネクタ５５の一端に接続される。配線コネクタ５５の他端には３本の配線ＨＬ，ＨＣ，ＨＣが接続されている。配線ＨＬは、ダクトボックス２０に設けられた表示灯Ｌの後部に接続される。一方、配線ＨＣは、ダクトボックス２０の前プレート２６と中プレート２７との間及びコンセントボックス３０の前プレート３６と中プレート３７との間を通過し、コンセントボックス３０の内部に導入される。そして、配線ＨＣは、コンセントボックス３０に設けられた電源ユニット５４の後部に接続される。
このように、ダクトボックス２０の前プレート２６と、中プレート２７と、一対の側壁部２２，２２と、コンセントボックス３０の前プレート３６と、中プレート３７と、一対の側壁部３１，３１とで囲まれた部分は、ダクトボックス２０とコンセントボックス３０とを連通する連通部Ｒ１とされている。連通部Ｒ１は、ダクトボックス２０及びコンセントボックス３０の前側に配置されている。また、ダクトボックス２０の内部及びコンセントボックス３０の内部は、配線Ｈ１，Ｈ２，ＨＣ，ＨＬを収容可能であって、前側開口部２１Ｋ及び後側開口部２１Ｌと連通したボックス内収容空間ＫＨ（第一収容空間）とされている。
なお、配線Ｈ１は、ダクトボックス２０の後側開口部２１Ｌからダクトボックス２０内に導入されているが、前側開口部２１Ｋからもダクトボックス２０内に導入可能である。
【００６８】
次に、上記のように構成された椅子１００の作用について説明する。
配線Ｈ１，Ｈ２，ＨＣ，ＨＬが導通状態の場合には、配線ＨＬに接続された表示灯Ｌが点灯する。
【００６９】
一方、コンセント５に接続された電子機器等の使用により、過電流になってしまった場合には、ブレーカー６に接続された配線Ｈ２，ＨＣ，ＨＬへの電力の供給がブレーカー６により停止される。この結果、配線ＨＬに接続された表示灯Ｌは消灯する。
表示灯Ｌの消灯により電力の供給が停止されたことが確認された場合、メンテナンスカバー４０の螺子４０Ｙを取り外して、メンテナンスカバー４０の係合部４１とダクトボックス２０の立設壁部２１Ａとの係合を解除する。これにより、メンテナンスカバー４０はダクトボックス２０及びコンセントボックス３０から取り外される。そして、メンテナンス用側開口部４０Ｋから手を入れて、ブレーカー６の操作片６Ａを操作して、電力の供給を復帰させる。
【００７０】
このように構成された椅子１００では、脚体１に支持された座部７に着座する着座者は、脚体１に設けられたコンセント５からの電力の供給により、電子機器等を使用することができる。過電流になってしまった場合には、脚体１に設けられたブレーカー６により、ブレーカー６と配線Ｈ２で接続されたコンセント５は、電子機器等への電力の供給を停止する。よって、一の椅子１００において過電流が生じた場合には、当該椅子１００においてのみ電力の供給が停止されるため、他の椅子を利用する利用者や、施設の他の箇所で作業をする利用者等に不都合を与えることはない。
【００７１】
また、ブレーカー６は、床面上に設けられている複数の主脚部１０を連結するビーム１６の下方に配置されている。つまり、座部７に着座する着座者から、ビーム１６の下方という視認しづらい位置にブレーカー６が配置されるため、いたずら等によるブレーカー６の誤操作を抑制することができるとともに、外観を良好とすることができる。
【００７２】
また、ブレーカー６が設けられたダクトボックス２０は、コンセント５が設けられたコンセントボックス３０の下側に設けられている。よって、コンセントボックス３０とダクトボックス２０とが離間している場合よりも、コンセント５とブレーカー６とを接続する配線Ｈ２は効率的に配置される。また、コンセント５及びブレーカー６が同一のハウジングに配置されている場合よりも、コンセント５とブレーカー６とを接続する配線Ｈ２は、無理に折り曲げられたりすることなく適切に配置される。また、コンセント５とブレーカー６とを接続する配線は、後方から前方に向かうにいたがって上方に向かうように配置されるため、空間的に余裕をもって適切に配置される。
【００７３】
また、コンセント５は、ダクトボックス２０よりも上側のコンセントボックス３０に設けられている。よって、コンセント５は、座部７に着座する利用者から手が届きやすいため、使い勝手を良好とすることができる。
【００７４】
また、コンセント５は、座部７の下方に配置されている。つまり、コンセント５は、座部７に着座する着座者にとって、コンセント５を利用しようと姿勢を下方に向けた際に視認できる位置に配置されている。よって、コンセント５を使用しない通常の姿勢ではコンセント５を容易に視認できないため、コンセント５へのいたずらを抑制することができる。  
【００７５】
また、表示灯Ｌが点灯している場合には、配線Ｈ２ひいては配線Ｈ２に電気的に接続された配線ＨＣの導通を確認することができる。一方、表示灯Ｌが消灯している場合には、配線ＨＣに導通されていないことを確認することができる。よって、表示灯Ｌを見ることにより、配線ＨＣに電気的に接続されたコンセント５の導通状態を確認することができ、それに応じてコンセント５の使用の可否を判断することができるため、利便性が高い。
【００７６】
（変形例）
次に、上記に示す変形例について説明する。
なお、以下に説明する変形例においては、上記に示す実施形態と共通する構成については図中に同符号を付してその説明を省略する。
図７は、本発明の変形例における椅子の正面図である。図８は、本発明の変形例における椅子を構成する第二脚部の分解斜視図である。
図７，８に示すように、椅子２００は、脚体１と、脚体１に設けられるコンセント５及びブレーカー６と、脚体１に支持された複数の座部７，７…と、各座部７の後方にそれぞれ設けられた背凭れ部８と、コンパクトボックス（収容体）２３０と、を備えている。
【００７７】
ビーム２１６の一端部には第二脚部２０Ａが設けられるとともに、他端部にはコンパクトボックス２３０が設けられている。
【００７８】
コンパクトボックス２３０は、箱状に形成されている。コンパクトボックス２３０において、前部にはコンセント５が設けられ、上部には天板９が設けられている。
【００７９】
また、ビーム２１６は、ダクトボックス２０とコンセントボックス３０との間に取り付けられる連結体２２１と、連結体２２１の外側に嵌合されるビーム本体２３１と、を有している。
【００８０】
連結体２２１は、断面視矩形の管状に形成されている。連結体２２１は、ダクトボックス２０とコンセントボックス３０との間に配置される大管状部２２２と、大管状部２２２よりも断面寸法が小さく形成された小管状部２２３と、を有している。大管状部２２２の下面には、挿通孔２２２Ａが形成されている。また、ダクトボックス２０の支持プレート部２７Ａには、挿通孔２２２Ａと対応する位置に挿通孔２７Ｓが形成されている。
【００８１】
ビーム本体２３１は、断面視矩形の管状に形成されている。ビーム本体２３１の断面寸法は、連結体２２１の小管状部２２３の断面寸法よりもわずかに大きい。これにより、ビーム本体２３１の内側に、連結体２２１の小管状部２２３が嵌合配置されている。
【００８２】
この椅子２００において、配線Ｈ２を介してブレーカー６に接続された配線ＨＣ（図６参照）は、コンセントボックス３０の電源ユニット５４（図６参照）の後部に接続される。また、ブレーカー６に接続された配線Ｈ３は、ダクトボックス２０の支持プレート部２７Ａに形成された挿通孔２７Ｓ及びビーム２１６の大管状部２２２に形成された挿通孔２２２Ａを通過して、連結体２２１内部に導入される。さらに、配線Ｈ３は、ビーム本体２３１の内部に導入され、コンパクトボックス２３０に向かって延びる。配線Ｈ３は、ビーム本体２３１とコンパクトボックス２３０との接続部分に両者に形成された挿通孔を通過して、コンパクトボックス２３０に設けられたコンセント５に接続されている。
このビーム２１６において、連結体２２１の内部及びビーム本体２３１の内部は、配線Ｈ２を収容する配線収容部Ｋ１とされている。上記のように、配線収容部Ｋ１は、挿通孔２７Ｓ，２２２Ａを介して、ボックス内収容空間ＫＨに連通されている。
【００８３】
このように構成された椅子２００では、ダクトボックス２０に設けられたブレーカー６は、コンセントボックス３０のコンセント５及びコンパクトボックス２３０のコンセント５の過電流を検出し、少なくともいずれか一方のコンセント５が過電流の場合には電力の供給を停止することができる。よって、設置するブレーカー６の数を抑えつつ、一の椅子２００において過電流が生じた場合には、当該椅子２００においてのみ電力の供給が停止されることができる。
【００８４】
これ以外にも、本発明の主旨を逸脱しない限り、上記実施の形態で挙げた構成を取捨選択したり、他の構成に適宜変更したりすることが可能である。
【００８５】
例えば、上記に示す実機形態においては、電力制御部としてブレーカー６を例に挙げて説明したが、本発明はこれに限られない。例えば、電力制御部としては、交流電流と直流電流との間で変換する交流直流変換機や、交流電流の圧力の高さを変換する変圧器等、ヒューズ等を採用することもできる。
【００８６】
また、椅子１００のビーム１６が、変形例のビーム２１６のように、大管状部２２２と小管状部２２３とを備えた構成であってもよい。この場合には、大管状部と、大管状部の左右両側からそれぞれ延びる小管状部と、を有する構成とすることができる。
また、椅子２００のビーム２１６が、実施形態のビーム１６のように、同一断面寸法で延びる長尺なビームとすることもできる。
【００８７】
また、上記に示す実施形態において、主脚部１０は、第二脚部２０Ａよりも、椅子１００の幅方向（左右方向）外側に配置されているが、内側に配置されていてもよい。また、上記に示す変形例において、右側の主脚部１０は、第二脚部２０Ａよりも、椅子２００の幅方向（左右方向）内側に配置されているが、外側に配置されていてもよい。
【００８８】
また、上記に示す実施形態、変形例において、コンセント５は、第二脚部２０Ａの前部に設けられているが、第二脚部２０Ａの側部若しくは後部、又は天板９の上面に設けられていてもよい。さらには、コンセント５がコンセントボックス３０内に収容され、天板９がコンセントボックス３０に対して開閉可能な構成とされていてもよい。
【００８９】
また、電力供給部としては、電源コンセント５３Ａや充電用ＵＳＢポート５３Ｂを有する電源ユニット５４を例に挙げて説明したが、本発明はこれに限られない。電力供給部は、非接触給電により電子機器に電力の供給が可能とされていてもよい。例えば、電力供給部は、コイルを有する給電部（不図示）により構成され、二次電池を内蔵した電子機器に対して電磁誘導作用により電力の供給があってもよい。
【００９０】
また、上記に示す実施形態、変形例において、主脚部１０は中実のアルミダイキャスト製であり、第二脚部２０Ａは板金の折曲加工により構成され、主脚部１０と第二脚部２０Ａとは構成及び強度が異なっているが、本発明にこれに限られない。主脚部と第二脚部とが同一の構成であり、同一の強度を有するものであってもよい。
【００９１】
また、上記に示す実施形態、変形例において、第二脚部２０Ａは床面上に設けられているが、本発明はこれに限られない。第二脚部の下端が、床面に接しておらず、床面から上方に離間して配置される構成であってもよい。
【符号の説明】
【００９２】
１００，２００…椅子
１…脚体
５…コンセント（電力供給部）
６…ブレーカー（電力制御部）
７…座部
１０…主脚部（支持脚部）
１６…ビーム（連結部）
２０…ダクトボックス（第二ハウジング）
２０Ａ…第二脚部
３０…コンセントボックス（第一ハウジング）
２３０…コンパクトボックス（収容体）
Ｌ…表示灯（通電表示部）
【図１】
0006735528.tif 000002
【図２】
0006735528.tif 000003
【図３】
0006735528.tif 000004
【図４】
0006735528.tif 000005
【図５】
0006735528.tif 000006
【図６】
0006735528.tif 000007
【図７】
0006735528.tif 000008
【図８】
0006735528.tif 000009